(57)【特許請求の範囲】
【請求項１】
自身が推薦する推薦対象を表すレコメンド情報を提供する提供者が使用する携帯端末と、前記レコメンド情報を要求する要求者が使用する要求者端末と、の各々と通信するレコメンド情報提供装置であって、
前記携帯端末から前記提供者を特定する提供者識別情報と前記提供者のレコメンド情報とを含む登録要求を取得し、前記携帯端末の位置情報を取得する取得手段と、
前記取得手段にて取得された位置情報を記憶する記憶手段と、
前記取得手段にて取得された前記提供者識別情報と前記レコメンド情報とを対応付けて格納する格納手段と、
前記要求者端末から検索エリアを特定するための検索エリア情報を受信すると、前記記憶手段を参照して、前記検索エリア内に存在する前記携帯端末である該当端末を特定し、前記格納手段を参照して、前記該当端末を使用する提供者の提供者識別情報である該当提供者識別情報と前記該当提供者識別情報にて特定される提供者のレコメンド情報である該当レコメンド情報とを前記要求者端末に送信する制御手段と、を含むレコメンド情報提供装置。
【請求項２】
自身が推薦する推薦対象を表すレコメンド情報を提供する提供者が使用する携帯端末と、前記レコメンド情報を要求する要求者が使用する要求者端末と、の各々と通信するレコメンド情報提供装置であって、
前記携帯端末から前記提供者を特定する提供者識別情報と前記提供者のレコメンド情報とを含む登録要求を取得する取得手段と、
前記取得手段にて取得された前記提供者識別情報と前記レコメンド情報とを対応付けて格納する格納手段と、
前記要求者端末から検索エリアを特定するための検索エリア情報を受信すると、前記検索エリア情報を前記携帯端末に送信し、前記検索エリア内に存在し既定時間内に応答を返した前記携帯端末である該当端末から応答を受信すると、前記格納手段を参照して、前記該当端末を使用する提供者の提供者識別情報である該当提供者識別情報と前記該当提供者識別情報にて特定される提供者のレコメンド情報である該当レコメンド情報とを前記要求者端末に送信する制御手段と、を含むレコメンド情報提供装置。
【請求項３】
請求項１に記載のレコメンド情報提供装置において、
前記取得手段は、前記位置情報を、前記携帯端末が一定の距離以上移動した場合、または、前記携帯端末が特定の境界を越えた場合に取得する、レコメンド情報提供装置。
【請求項４】
請求項１に記載のレコメンド情報提供装置において、
前記位置情報は、前記携帯端末の位置の精細度が粗くなるように、前記位置を表すデータを加工、または、前記位置を表すデータを該データの示す位置が属する地域名へ変換した情報である、レコメンド情報提供装置。
【請求項５】
請求項１または２に記載のレコメンド情報提供装置において、
前記携帯端末は、複数存在するものであり、
前記制御手段は、前記該当レコメンド情報について所定の統計処理を行い、前記所定の統計処理の結果に基づいて前記該当レコメンド情報に優先度を付与し、前記優先度が付与された該当レコメンド情報を前記該当提供者識別情報とともに前記要求者端末に送信し、前記所定の統計処理として、前記格納手段を参照して前記レコメンド情報ごとに当該レコメンド情報を提供した提供者の数をカウントする統計処理を行い、前記提供者の数が多いレコメンド情報ほど高い優先度を付与する、レコメンド情報提供装置。
【請求項６】
請求項１に記載のレコメンド情報提供装置において、
前記レコメンド情報は、前記提供者から推薦されたコンテンツを識別するためのコンテンツ識別情報であり、
前記携帯端末は、複数存在するものであり、
前記制御手段は、前記要求者端末から前記検索エリア情報と共に前記検索エリア内の基準位置を表す基準位置情報と前記要求者端末の向きを表す向き情報とを受信すると、前記記憶手段を参照して、前記検索エリア内で前記基準位置からの前記要求者端末の向きに存在する前記携帯端末を前記該当端末として特定し、また、前記該当コンテンツ識別情報について所定の統計処理を行い、前記所定の統計処理の結果に基づいて前記該当コンテンツ識別情報に優先度を付与し、前記優先度が付与された該当コンテンツ識別情報を前記該当提供者識別情報とともに前記要求者端末に送信する、レコメンド情報提供装置。
【請求項７】
請求項２に記載のレコメンド情報提供装置において、
前記レコメンド情報は、前記提供者から推薦されたコンテンツを識別するためのコンテンツ識別情報であり、
前記携帯端末は、複数存在するものであり、
前記制御手段は、前記要求者端末から前記検索エリア情報と共に前記検索エリア内の基準位置を表す基準位置情報と前記要求者端末の向きを表す向き情報を受信すると、前記検索エリア情報と前記基準位置情報と前記向き情報とを前記携帯端末に送信し、前記検索エリア内で前記基準位置からの前記要求者端末の向きに存在する前記携帯端末から前記応答を受信すると、前記応答を送信した携帯端末を前記該当端末として特定し、また、前記該当コンテンツ識別情報について所定の統計処理を行い、前記所定の統計処理の結果に基づいて前記該当コンテンツ識別情報に優先度を付与し、前記優先度が付与された該当コンテンツ識別情報を前記該当提供者識別情報とともに前記要求者端末に送信する、レコメンド情報提供装置。
【請求項８】
請求項２に記載のレコメンド情報提供装置と通信する携帯端末であって、
前記登録要求を送信する送信手段と、
前記携帯端末の位置を取得する位置取得手段と、
前記位置の精細度が粗くなるように、前記位置を表すデータを加工、または、前記位置を前記位置が属する地域名へ変換する加工手段と、
前記レコメンド情報提供装置から前記検索エリア情報を受信すると、前記携帯端末の加工した位置が前記検索エリア情報の表す検索エリア内である場合に、前記応答を前記レコメンド情報提供装置に送信する応答手段と、を含む携帯端末。
【請求項９】
自身が推薦する推薦対象を表すレコメンド情報を提供する提供者が使用する携帯端末と、前記レコメンド情報を要求する要求者が使用する要求者端末と、の各々と通信するレコメンド情報提供装置でのレコメンド情報提供方法であって、
前記携帯端末から前記提供者を特定する提供者識別情報と前記提供者のレコメンド情報とを含む登録要求を取得し、前記携帯端末の位置情報を取得する取得ステップと、
取得された位置情報を記憶手段に記憶する記憶ステップと、
取得された前記提供者識別情報と前記レコメンド情報とを対応付けて格納手段に格納する格納ステップと、
前記要求者端末から検索エリアを特定するための検索エリア情報を受信すると、前記記憶手段を参照して、前記検索エリア内に存在する前記携帯端末である該当端末を特定し、前記格納手段を参照して、前記該当端末を使用する提供者の提供者識別情報である該当提供者識別情報と前記該当提供者識別情報にて特定される提供者のレコメンド情報である該当レコメンド情報とを前記要求者端末に送信する制御ステップと、を含むレコメンド情報提供方法。
【請求項１０】
自身が推薦する推薦対象を表すレコメンド情報を提供する提供者が使用する携帯端末と、前記レコメンド情報を要求する要求者が使用する要求者端末と、の各々と通信するレコメンド情報提供装置でのレコメンド情報提供方法であって、
前記携帯端末から前記提供者を特定する提供者識別情報と前記提供者のレコメンド情報とを含む登録要求を取得する取得ステップと、
取得された前記提供者識別情報と前記レコメンド情報とを対応付けて格納手段に格納する格納ステップと、
前記要求者端末から検索エリアを特定するための検索エリア情報を受信すると、前記検索エリア情報を前記携帯端末に送信し、前記検索エリア内に存在し既定時間内に応答を返した前記携帯端末である該当端末から応答を受信すると、前記格納手段を参照して、前記該当端末を使用する提供者の提供者識別情報である該当提供者識別情報と前記該当提供者識別情報にて特定される提供者のレコメンド情報である該当レコメンド情報とを前記要求者端末に送信する制御ステップと、を含むレコメンド情報提供方法。
【請求項１１】
請求項２に記載のレコメンド情報提供装置と通信する携帯端末でのレコメンド情報提供支援方法であって、
前記登録要求を送信する送信ステップと、
前記携帯端末の位置を取得する位置取得ステップと、
前記位置の精細度が粗くなるように、前記位置を表すデータを加工、または、前記位置を前記位置が属する地域名へ変換する加工ステップと、
前記レコメンド情報提供装置から前記検索エリア情報を受信すると、前記携帯端末の加工した位置が前記検索エリア情報の表す検索エリア内である場合に、前記応答を前記レコメンド情報提供装置に送信する応答ステップと、を含むレコメンド情報提供支援方法。
【請求項１２】
自身が推薦する推薦対象を表すレコメンド情報を提供する提供者が使用する携帯端末と、前記レコメンド情報を要求する要求者が使用する要求者端末と、の各々と通信するコンピュータに、
前記携帯端末から前記提供者を特定する提供者識別情報と前記提供者のレコメンド情報とを含む登録要求を取得し、前記携帯端末の位置情報を取得する取得手順と、
取得された位置情報を記憶手段に記憶する記憶手順と、
取得された前記提供者識別情報と前記レコメンド情報とを対応付けて格納手段に格納する格納手順と、
前記要求者端末から検索エリアを特定するための検索エリア情報を受信すると、前記記憶手段を参照して、前記検索エリア内に存在する前記携帯端末である該当端末を特定し、前記格納手段を参照して、前記該当端末を使用する提供者の提供者識別情報である該当提供者識別情報と前記該当提供者識別情報にて特定される提供者のレコメンド情報である該当レコメンド情報とを前記要求者端末に送信する制御手順と、を実行させるためのプログラム。
【請求項１３】
自身が推薦する推薦対象を表すレコメンド情報を提供する提供者が使用する携帯端末と、前記レコメンド情報を要求する要求者が使用する要求者端末と、の各々と通信するコンピュータに、
前記携帯端末から前記提供者を特定する提供者識別情報と前記提供者のレコメンド情報とを含む登録要求を取得する取得手順と、
取得された前記提供者識別情報と前記レコメンド情報とを対応付けて格納手段に格納する格納手順と、
前記要求者端末から検索エリアを特定するための検索エリア情報を受信すると、前記検索エリア情報を前記携帯端末に送信し、前記検索エリア内に存在し既定時間内に応答を返した前記携帯端末である該当端末から応答を受信すると、前記格納手段を参照して、前記該当端末を使用する提供者の提供者識別情報である該当提供者識別情報と前記該当提供者識別情報にて特定される提供者のレコメンド情報である該当レコメンド情報とを前記要求者端末に送信する制御手順と、を実行させるためのプログラム。
【請求項１４】
請求項２に記載のレコメンド情報提供装置と通信するコンピュータに、
前記登録要求を送信する送信手順と、
前記コンピュータの位置を取得する位置取得手順と、
前記位置の精細度が粗くなるように、前記位置を表すデータを加工、または、前記位置を前記位置が属する地域名へ変換する加工手順と、
前記レコメンド情報提供装置から前記検索エリア情報を受信すると、前記コンピュータの加工した位置が前記検索エリア情報の表す検索エリア内である場合に、前記応答を前記レコメンド情報提供装置に送信する応答手順と、を実行させるためのプログラム。
【発明の詳細な説明】
【技術分野】
【０００１】
本発明は、レコメンド情報提供装置、携帯端末、レコメンド情報提供方法、レコメンド情報提供支援方法およびプログラムに関する。
【背景技術】
【０００２】
現在、商品、サービス、場所またはコンテンツ等の推薦対象を表すレコメンド情報を参考にして、推薦対象について評価が行われることがある。なお、レコメンド情報は、例えば、レコメンド情報の提供者のブログ等に掲載される。
【０００３】
特許文献１には、興味対象場所に関するレコメンド情報を端末装置に配信する地図情報提供サーバが記載されている。
【０００４】
特許文献１に記載の地図情報提供サーバは、情報提供者にて登録された位置（以下「登録位置」と称する）を記憶し、その後、あるユーザの端末装置から所定エリアの地図情報の要求を受信すると、登録位置を用いて、所定エリア内に位置を登録した情報提供者を特定し、特定された情報提供者のレコメンド情報、登録位置およびユーザ情報（例えば、プロフィール）を、端末装置に配信する。
【０００５】
なお、登録位置は、情報提供者が通常所在する固定された位置である。また、端末装置に配信される情報提供者のユーザ情報は、登録位置と同様に、情報提供者自身によって登録された情報である。
【先行技術文献】
【特許文献】
【０００６】
【特許文献１】特開２００７−３２８４６９号公報
【発明の概要】
【発明が解決しようとする課題】
【０００７】
特許文献１に記載の地図情報提供サーバからレコメンド情報を受信する端末装置の利用者は、レコメンド情報を提供した情報提供者に関する属性情報として、登録位置とユーザ情報を得ることができる。
【０００８】
しかしながら、情報提供者の属性情報（登録位置とユーザ情報）は、情報提供者自身にて登録されたものであるため、正確な情報であるとは限らない。このため、情報提供者の属性情報に対する信頼性が低かった。そして、情報提供者の属性情報に対する信頼性の低さは、情報提供者からのレコメンド情報に対する信頼性を低下させる可能性がある。
【０００９】
このため、情報提供者の属性情報に対する信頼性を高めるための手法が望まれるという課題があった。
【００１０】
本発明の目的は、上記課題を解決可能なレコメンド情報提供装置、携帯端末、レコメンド情報提供方法、レコメンド情報提供支援方法およびプログラムを提供することである。
【課題を解決するための手段】
【００１１】
本発明のレコメンド情報提供装置は、
自身が推薦する推薦対象を表すレコメンド情報を提供する提供者が使用する携帯端末と、前記レコメンド情報を要求する要求者が使用する要求者端末と、の各々と通信するレコメンド情報提供装置であって、
前記携帯端末から前記提供者を特定する提供者識別情報と前記提供者のレコメンド情報とを含む登録要求を取得し、前記携帯端末の位置情報を取得する取得手段と、
前記取得手段にて取得された位置情報を記憶する記憶手段と、
前記取得手段にて取得された前記提供者識別情報と前記レコメンド情報とを対応付けて格納する格納手段と、
前記要求者端末から検索エリアを特定するための検索エリア情報を受信すると、前記記憶手段を参照して、前記検索エリア内に存在する前記携帯端末である該当端末を特定し、前記格納手段を参照して、前記該当端末を使用する提供者の提供者識別情報である該当提供者識別情報と前記該当提供者識別情報にて特定される提供者のレコメンド情報である該当レコメンド情報とを前記要求者端末に送信する制御手段と、を含む。
【００１２】
本発明のレコメンド情報提供装置は、
自身が推薦する推薦対象を表すレコメンド情報を提供する提供者が使用する携帯端末と、前記レコメンド情報を要求する要求者が使用する要求者端末と、の各々と通信するレコメンド情報提供装置であって、
前記携帯端末から前記提供者を特定する提供者識別情報と前記提供者のレコメンド情報とを含む登録要求を取得する取得手段と、
前記取得手段にて取得された前記提供者識別情報と前記レコメンド情報とを対応付けて格納する格納手段と、
前記要求者端末から検索エリアを特定するための検索エリア情報を受信すると、前記検索エリア情報を前記携帯端末に送信し、前記検索エリア内に存在し既定時間内に応答を返した前記携帯端末である該当端末から応答を受信すると、前記格納手段を参照して、前記該当端末を使用する提供者の提供者識別情報である該当提供者識別情報と前記該当提供者識別情報にて特定される提供者のレコメンド情報である該当レコメンド情報とを前記要求者端末に送信する制御手段と、を含む。
【００１３】
本発明のレコメンド情報提供方法は、
自身が推薦する推薦対象を表すレコメンド情報を提供する提供者が使用する携帯端末と、前記レコメンド情報を要求する要求者が使用する要求者端末と、の各々と通信するレコメンド情報提供装置でのレコメンド情報提供方法であって、
前記携帯端末から前記提供者を特定する提供者識別情報と前記提供者のレコメンド情報とを含む登録要求を取得し、前記携帯端末の位置情報を取得する取得ステップと、
取得された位置情報を記憶手段に記憶する記憶ステップと、
取得された前記提供者識別情報と前記レコメンド情報とを対応付けて格納手段に格納する格納ステップと、
前記要求者端末から検索エリアを特定するための検索エリア情報を受信すると、前記記憶手段を参照して、前記検索エリア内に存在する前記携帯端末である該当端末を特定し、前記格納手段を参照して、前記該当端末を使用する提供者の提供者識別情報である該当提供者識別情報と前記該当提供者識別情報にて特定される提供者のレコメンド情報である該当レコメンド情報とを前記要求者端末に送信する制御ステップと、を含む。
【００１４】
本発明のレコメンド情報提供方法は、
自身が推薦する推薦対象を表すレコメンド情報を提供する提供者が使用する携帯端末と、前記レコメンド情報を要求する要求者が使用する要求者端末と、の各々と通信するレコメンド情報提供装置でのレコメンド情報提供方法であって、
前記携帯端末から前記提供者を特定する提供者識別情報と前記提供者のレコメンド情報とを含む登録要求を取得する取得ステップと、
取得された前記提供者識別情報と前記レコメンド情報とを対応付けて格納手段に格納する格納ステップと、
前記要求者端末から検索エリアを特定するための検索エリア情報を受信すると、前記検索エリア情報を前記携帯端末に送信し、前記検索エリア内に存在し既定時間内に応答を返した前記携帯端末である該当端末から応答を受信すると、前記格納手段を参照して、前記該当端末を使用する提供者の提供者識別情報である該当提供者識別情報と前記該当提供者識別情報にて特定される提供者のレコメンド情報である該当レコメンド情報とを前記要求者端末に送信する制御ステップと、を含む。
【００１５】
本発明のプログラムは、
自身が推薦する推薦対象を表すレコメンド情報を提供する提供者が使用する携帯端末と、前記レコメンド情報を要求する要求者が使用する要求者端末と、の各々と通信するコンピュータに、
前記携帯端末から前記提供者を特定する提供者識別情報と前記提供者のレコメンド情報とを含む登録要求を取得し、前記携帯端末の位置情報を取得する取得手順と、
取得された位置情報を記憶手段に記憶する記憶手順と、
取得された前記提供者識別情報と前記レコメンド情報とを対応付けて格納手段に格納する格納手順と、
前記要求者端末から検索エリアを特定するための検索エリア情報を受信すると、前記記憶手段を参照して、前記検索エリア内に存在する前記携帯端末である該当端末を特定し、前記格納手段を参照して、前記該当端末を使用する提供者の提供者識別情報である該当提供者識別情報と前記該当提供者識別情報にて特定される提供者のレコメンド情報である該当レコメンド情報とを前記要求者端末に送信する制御手順と、を実行させる。
【００１６】
本発明のプログラムは、
自身が推薦する推薦対象を表すレコメンド情報を提供する提供者が使用する携帯端末と、前記レコメンド情報を要求する要求者が使用する要求者端末と、の各々と通信するコンピュータに、
前記携帯端末から前記提供者を特定する提供者識別情報と前記提供者のレコメンド情報とを含む登録要求を取得する取得手順と、
取得された前記提供者識別情報と前記レコメンド情報とを対応付けて格納手段に格納する格納手順と、
前記要求者端末から検索エリアを特定するための検索エリア情報を受信すると、前記検索エリア情報を前記携帯端末に送信し、前記検索エリア内に存在し既定時間内に応答を返した前記携帯端末である該当端末から応答を受信すると、前記格納手段を参照して、前記該当端末を使用する提供者の提供者識別情報である該当提供者識別情報と前記該当提供者識別情報にて特定される提供者のレコメンド情報である該当レコメンド情報とを前記要求者端末に送信する制御手順と、を実行させる。
【発明の効果】
【００１７】
本発明によれば、レコメンド情報を提供する情報提供者の属性情報に対する信頼性を高めることが可能になる。
【図面の簡単な説明】
【００１８】
【図１】本発明の第１実施形態のコンテンツ推薦サーバ１００を有するコンテンツ推薦システム１を示したブロック図である。
【図２】コンテンツ推薦システム１の一例を示したブロック図である。
【図３】位置情報記憶部１０３に記憶された位置情報の一例を示した図である。
【図４】レコメンド情報記憶部１０５に記憶されたレコメンド情報の一例を示した図である。
【図５】報酬情報記憶部１０６に記憶された報酬情報の一例を示した図である。
【図６Ａ】コンテンツ推薦システム１の動作を説明するためのシーケンス図である。
【図６Ｂ】コンテンツ推薦システム１の動作を説明するためのシーケンス図である。
【図６Ｃ】コンテンツ推薦システム１の動作を説明するためのシーケンス図である。
【図７】位置情報取得部１０２と位置情報記憶部１０３とレコメンド情報記憶部１０５と制御部１０７とからなるコンテンツ推薦サーバを示した図である。
【図８】本発明の第２実施形態のコンテンツ推薦サーバ１００Ａを有するコンテンツ推薦システム１Ａを示したブロック図である。
【図９】制御部１０７Ａが該当端末を特定する一例を説明するための図である。
【図１０】本発明の第３実施形態のコンテンツ推薦サーバ１００Ｂを有するコンテンツ推薦システム１Ｂを示したブロック図である。
【図１１】本発明の第４実施形態のコンテンツ推薦サーバ１００Ｃを有するコンテンツ推薦システム１Ｃを示したブロック図である。
【図１２】ＡＲを利用して該当推薦コンテンツＩＤを表示する技術を示した図である。
【発明を実施するための形態】
【００１９】
以下、本発明の実施形態について図面を参照して説明する。
【００２０】
（第１実施形態）
図１は、本発明の第１実施形態のコンテンツ推薦サーバ１００を有するコンテンツ推薦システム１を示したブロック図である。
【００２１】
図１において、コンテンツ推薦システム１は、コンテンツ推薦サーバ１００と、推薦用端末２０１〜２０ｍ（ただし、ｍは１以上の整数）と、コンテンツ利用端末３０１〜３０ｎ（ただし、ｎは１以上の整数）と、コンテンツ提供サーバ４００と、を含む。
【００２２】
コンテンツ推薦サーバ１００と、推薦用端末２０１〜２０ｍと、コンテンツ利用端末３０１〜３０ｎと、コンテンツ提供サーバ４００とは、ネットワーク５００に接続され、相互に通信する。
【００２３】
コンテンツ推薦サーバ１００は、レコメンド情報提供装置の一例である。
【００２４】
コンテンツ推薦サーバ１００は、推薦用端末２０１〜２０ｍとコンテンツ利用端末３０１〜３０ｎとの各々と通信する。
【００２５】
推薦用端末２０１〜２０ｍは、それぞれ、携帯電話等の携帯端末である。なお、推薦用端末２０１〜２０ｍは、携帯電話に限らず、ネットワーク５００に接続可能であり携帯可能な端末装置であればよい。
【００２６】
推薦用端末２０１〜２０ｍは、それぞれ、推薦対象を表すレコメンド情報を提供する提供者にて使用される。以下、レコメンド情報を提供する提供者を「推薦者」と称する。なお、推薦用端末２０１〜２０ｍは、互いに異なる推薦者にて使用されるとする。
【００２７】
本実施形態では、推薦対象として、推薦者にて推薦（レコメンド）されたコンテンツが用いられる。また、レコメンド情報として、推薦者にて推薦されたコンテンツを識別するためのコンテンツ識別情報（以下「推薦コンテンツＩＤ」と称する）が用いられる。
【００２８】
なお、推薦対象は、コンテンツに限らず、例えば物品またはサービスでもよく、適宜変更可能である。また、レコメンド情報は、推薦コンテンツＩＤに限らず、推薦対象（例えば、物品、サービスまたはコンテンツ）を識別するための情報であればよい。
【００２９】
コンテンツ利用端末３０１〜３０ｎは、それぞれ、携帯電話等の携帯端末である。なお、コンテンツ利用端末３０１〜３０ｎは、携帯電話に限らず、ネットワーク５００に接続可能な端末装置であればよい。
【００３０】
コンテンツ利用端末３０１〜３０ｎは、それぞれ、レコメンド情報を要求する要求者にて使用される。以下、レコメンド情報を要求する要求者を「コンテンツ利用者」と称する。なお、コンテンツ利用端末３０１〜３０ｎは、互いに異なるコンテンツ利用者にて使用されるとする。
【００３１】
コンテンツ推薦サーバ１００は、コンテンツ利用端末にて指定された検索エリア内に存在する推薦者が推薦した推薦コンテンツＩＤを、検索エリアを指定したコンテンツ利用端末に提供する。
【００３２】
このため、コンテンツ利用者が、検索エリアとして、似た属性の人が集まる場所（例えば、ある会議または勉強会が行われている会議場や、コンサートが行われている会場）が指定されると、その場所に実際に来ている人が推薦した推薦コンテンツＩＤを入手することが可能になる。
【００３３】
例えば、検索エリアとして、ある業界の人が集まる会議が行われている会議場が指定されると、コンテンツ利用者が入手した推薦コンテンツＩＤを提供した人（推薦者：情報提供者）は、その業界に関連する人である確率が非常に高くなり、コンテンツ利用者が入手した推薦コンテンツＩＤを提供した人の属性（具体的には、その業界に関連するという属性）についての信頼性が高くなる。
【００３４】
また、検索エリアとして、コンサートが行われている会場が指定されると、コンテンツ利用者が入手した推薦コンテンツＩＤを提供した人（推薦者：情報提供者）は、そのコンサートを好む人である確率が非常に高くなり、コンテンツ利用者が入手した推薦コンテンツＩＤを提供した人の属性（具体的には、そのコンサートを好むという属性）についての信頼性が高くなる。
【００３５】
よって、推薦コンテンツＩＤを推薦した推薦人（情報提供者）の属性に対する信頼性を高めることが可能になる。
【００３６】
コンテンツ提供サーバ４００は、例えば、レコメンド情報である推薦コンテンツＩＤにて識別されるコンテンツを提供する。
【００３７】
ネットワーク５００は、無線ネットワークでもよいし、有線ネットワークでもよいし、無線ネットワークと有線ネットワークが混在するネットワークでもよい。
【００３８】
図２は、推薦用端末２０１〜２０ｍの各々として利用可能な推薦用端末２Ａと、コンテンツ利用端末３０１〜３０ｎの各々として利用可能なコンテンツ利用端末３Ａと、コンテンツ推薦サーバ１００と、コンテンツ提供サーバ４００と、の一例を示したブロック図である。
【００３９】
図２において、推薦用端末２Ａは、通信部２Ａ１と、入力部２Ａ２と、表示部２Ａ３と、ユーザＩＤ記憶部２Ａ４と、推薦コンテンツＩＤ記憶部２Ａ５と、制御部２Ａ６と、位置検出部２Ａ７と、位置情報送信部２Ａ８と、を含む。
【００４０】
コンテンツ利用端末３Ａは、通信部３Ａ１と、位置検出部３Ａ２と、表示部３Ａ３と、コンテンツ記憶部３Ａ４と、入力部３Ａ５と、制御部３Ａ６と、を含む。
【００４１】
コンテンツ推薦サーバ１００は、通信部１０１と、位置情報取得部１０２と、位置情報記憶部１０３と、レコメンド情報取得部１０４と、レコメンド情報記憶部１０５と、報酬情報記憶部１０６と、制御部１０７と、を含む。
【００４２】
コンテンツ提供サーバ４００は、通信部４０１と、コンテンツ記憶部４０２と、コンテンツ提供部４０３と、コンテンツ関連情報記憶部４０４と、を含む。
【００４３】
まず、推薦用端末２Ａについて説明する。
【００４４】
通信部２Ａ１は、ネットワーク５００と接続する。
【００４５】
入力部２Ａ２は、推薦者からの入力を受け付ける。推薦者からの入力としては、例えば、推薦者のレコメンド情報をコンテンツ推薦サーバ１００に登録する旨の入力（以下「登録指示入力」と称する）が用いられる。
【００４６】
表示部２Ａ３は、種々の情報を表示する。
【００４７】
ユーザＩＤ記憶部２Ａ４は、推薦者の識別情報（以下「推薦者ＩＤ」と称する）を記憶する。なお、推薦用端末２Ａと推薦者は１対１で対応するため、推薦者ＩＤは、推薦用端末を識別するための情報としても機能する。また、推薦者の識別情報の代わりに推薦用端末を識別する識別情報（装置固有のＩＤ、ＩＰアドレス、ＭＡＣアドレス、電話番号など）が用いられてもよい。
【００４８】
推薦コンテンツＩＤ記憶部２Ａ５は、推薦者が推薦するコンテンツを識別するための推薦コンテンツＩＤを保存する。例えば、推薦コンテンツＩＤは、入力部２Ａ２を介して入力される。
【００４９】
制御部２Ａ６は、入力部２Ａ２が受け付けた入力に応じて動作する。
【００５０】
例えば、制御部２Ａ６は、入力部２Ａ２が登録指示入力を受け付けると、ユーザＩＤ記憶部２Ａ４内の推薦者ＩＤと、推薦コンテンツＩＤ記憶部２Ａ５内の推薦コンテンツＩＤと、を表す推薦情報登録要求（以下、単に「登録要求」と称する）を、通信部２Ａ１を介してコンテンツ推薦サーバ１００に送信する。
【００５１】
位置検出部２Ａ７は、推薦用端末２Ａの現在位置を検出する。本実施形態では、位置検出部２Ａ７は、ＧＰＳ（Global Positioning System）を用いて推薦用端末２Ａの現在位置を定期的（例えば、５分ごと）に検出する。なお、位置検出部２Ａ７は、ＧＰＳを用いて現在位置を検出するものに限らず、例えば通信可能な基地局の位置から自装置の位置を特定するものなどの自装置の位置を検出するものであれば適宜変更可能である。また、推薦用端末２Ａの現在位置の検出間隔は、５分に限らず適宜変更可能である。
【００５２】
位置情報送信部２Ａ８は、位置検出部２Ａ７の検出結果（以下「位置情報」と称する）と、ユーザＩＤ記憶部２Ａ４内の推薦者ＩＤと、を表す位置情報通知を、通信部２Ａ１を介してコンテンツ推薦サーバ１００に送信する。
【００５３】
本実施形態では、位置情報送信部２Ａ８は、位置検出部２Ａ７が現在位置を検出するごとに、最新の検出結果を表す位置情報通知をコンテンツ推薦サーバ１００に送信する。
【００５４】
続いて、コンテンツ利用端末３Ａについて説明する。
【００５５】
通信部３Ａ１は、ネットワーク５００と接続する。
【００５６】
位置検出部３Ａ２は、コンテンツ利用端末３Ａの現在位置を検出する。本実施形態では、位置検出部３Ａ２は、ＧＰＳを用いてコンテンツ利用端末３Ａの現在位置を定期的（例えば、５分ごと）に検出する。なお、位置検出部３Ａ２は、ＧＰＳを用いて現在位置を検出するものに限らず、例えば通信可能な基地局の位置から自装置の位置を特定するものなどの自装置の位置を検出するものであれば適宜変更可能である。また、コンテンツ利用端末３Ａの現在位置を検出する時間間隔は、５分に限らず適宜変更可能である。
【００５７】
表示部３Ａ３は、種々の情報を表示する。
【００５８】
コンテンツ記憶部３Ａ４は、コンテンツ利用端末３Ａが取得したコンテンツを保存する。
【００５９】
入力部３Ａ５は、コンテンツ利用者からの入力を受け付ける。
【００６０】
コンテンツ利用者からの入力としては、例えば、推薦コンテンツＩＤを表す推薦コンテンツ情報を取得する旨の入力（以下「取得指示入力」と称する）や、コンテンツをダウンロードする旨の入力（以下「ダウンロード指示入力」と称する）が用いられる。
【００６１】
制御部３Ａ６は、コンテンツ利用端末３Ａの動作を制御する。
【００６２】
例えば、制御部３Ａ６は、入力部３Ａ５が取得指示入力を受け付けると、位置検出部３Ａ２の検出結果（以下「基準情報」と称する）と、基準情報に示された位置を基準にして特定される検索エリアを表す領域情報と、を表す推薦コンテンツ情報取得要求（以下、単に「取得要求」と称する）を、通信部３Ａ１を介してコンテンツ推薦サーバ１００に送信する。
【００６３】
領域情報は、検索エリア情報の一例である。
【００６４】
領域情報は、例えば、基準情報に示された位置を中心とし、その中心から所定の半径を有する円内の領域を検索エリアとする旨を表す。なお、所定の半径は、コンテンツ利用者にて設定されてもよいし、制御部３Ａ６にデフォルトで設定されていてもよい。
【００６５】
また、制御部３Ａ６は、取得要求に応じてコンテンツ推薦サーバ１００から送信された推薦コンテンツ情報を受信すると、推薦コンテンツ情報が表す推薦コンテンツＩＤにて特定されるコンテンツの関連情報（例えば、コンテンツの名称やアイコン、またはコンテンツの説明）をコンテンツ提供サーバ４００から取得し、コンテンツの関連情報を表示部３Ａ３に表示する。
【００６６】
また、制御部３Ａ６は、入力部３Ａ５が、推薦コンテンツＩＤについてのダウンロード指示入力を受け付けると、推薦コンテンツＩＤにて識別されるコンテンツのダウンロードを要求するダウンロード要求を、通信部３Ａ１を介してコンテンツ提供サーバ４００に送信する。
【００６７】
また、制御部３Ａ６は、ダウンロード要求に応じてコンテンツ提供サーバ４００から送信されたコンテンツを受信すると、そのコンテンツをコンテンツ記憶部３Ａ４に保存する。
【００６８】
続いて、コンテンツ推薦サーバ１００について説明する。
【００６９】
通信部１０１は、ネットワーク５００と接続する。
【００７０】
位置情報取得部１０２は、取得手段の一例である。
【００７１】
位置情報取得部１０２は、推薦用端末２Ａの現在位置を表す位置情報を取得する。本実施形態では、位置情報取得部１０２は、推薦用端末２Ａから送信された位置情報通知を、通信部１０１を介して受信することで、推薦用端末２Ａの位置情報を取得する。
【００７２】
位置情報記憶部１０３は、記憶手段の一例である。
【００７３】
位置情報記憶部１０３は、位置情報取得部１０２にて取得された位置情報通知内の位置情報を記憶する。
【００７４】
図３は、位置情報記憶部１０３に記憶された位置情報の一例を示した図である。
【００７５】
図３において、位置情報記憶部１０３は、位置情報通知内の推薦者ＩＤごとに、推薦者ＩＤに関連づけて位置情報を記憶する。
【００７６】
なお、位置情報記憶部１０３内に推薦者ＩＤと関連づけて記憶された位置情報は、その推薦者ＩＤを表す位置情報通知が取得されるごとに、その位置情報通知が表す位置情報に更新される。位置情報記憶部１０３では、推薦者ＩＤと位置情報は１対１で対応する。
【００７７】
レコメンド情報取得部１０４は、推薦用端末２Ａから送信された登録要求を、通信部１０１を介して受信することで、推薦用端末２Ａを利用する推薦者のレコメンド情報（推薦コンテンツＩＤ）を取得する。
【００７８】
レコメンド情報記憶部１０５は、格納手段の一例である。
【００７９】
レコメンド情報記憶部１０５は、レコメンド情報取得部１０４にて取得されたレコメンド情報を格納する。
【００８０】
図４は、レコメンド情報記憶部１０５に記憶されたレコメンド情報の一例を示した図である。
【００８１】
図４において、レコメンド情報記憶部１０５は、登録要求内の推薦者ＩＤごとに、推薦者ＩＤに関連づけて推薦コンテンツＩＤ（レコメンド情報）を記憶する。
【００８２】
なお、レコメンド情報記憶部１０５では、互いに関連づけられている推薦者ＩＤと推進コンテンツＩＤは、１対ａ（ただし、ａは１以上の整数）の関係になる。
【００８３】
報酬情報記憶部１０６は、登録要求内の推薦者ＩＤごとに、報酬情報を記憶する。なお、報酬情報は、推薦者が推薦したコンテンツがコンテンツ利用者端末にてダウンロードされた際に推薦者に与えられる報酬（コンテンツの金額の一部、ポイント、評価）を表す。
【００８４】
図５は、報酬情報記憶部１０６に記憶された報酬情報の一例を示した図である。
【００８５】
図５において、報酬情報記憶部１０６は、登録要求内の推薦者ＩＤごとに、推薦者ＩＤに関連づけて報酬情報を記憶する。
【００８６】
制御部１０７は、制御手段の一例である。
【００８７】
制御部１０７は、コンテンツ利用端末３Ａから取得要求を受信すると、位置情報記憶部１０３（図３参照）を参照して、取得要求が表す検索エリア内に存在する推薦用端末２Ａ（以下「該当端末」と称する）を特定する。
【００８８】
例えば、制御部１０７は、位置情報記憶部１０３内の位置情報のうち、検索エリア内の位置を表す位置情報（以下「該当位置情報」と称する）を特定し、該当位置情報に関連づけられた推薦者ＩＤにて特定される推薦用端末２Ａを、該当端末として特定する。以下、該当位置情報に関連づけられた推薦者ＩＤを、「該当推薦者ＩＤ」と称する。
【００８９】
制御部１０７は、該当端末を特定すると、レコメンド情報記憶部１０５を参照して、該当端末を使用する推薦者のレコメンド情報（以下「該当レコメンド情報」と称する）を特定する。そして、制御部１０７は、該当レコメンド情報を、取得要求の送信元であるコンテンツ利用端末３Ａに送信する。
【００９０】
本実施形態では、制御部１０７は、該当レコメンド情報について所定の統計処理を行い、所定の統計処理の結果に基づいて該当レコメンド情報に優先度を付与する。制御部１０７は、優先度が付与された該当レコメンド情報を、取得要求の送信元であるコンテンツ利用端末３Ａに送信する。
【００９１】
また、本実施形態では、制御部１０７は、該当推薦者ＩＤを表したリスト（以下「推薦者リスト」と称する）を生成し、推薦者リストごとに推薦者リスト識別子を付与する。そして、制御部１０７は、推薦者リスト識別子もしくは推薦者リストを推薦者リスト識別情報とする。そして、制御部１０７は、推薦者リスト識別情報を、優先度が付与された該当レコメンド情報と共に、取得要求の送信元であるコンテンツ利用端末３Ａに送信する。
【００９２】
なお、コンテンツ推薦サーバ１００には、推薦者リストを一時記憶する推薦者リスト記憶部（不図示）が設けられている。
【００９３】
また、制御部１０７は、推薦者リストおよび推薦者リスト識別子を、コンテンツ利用端末からの取得要求ごとに生成し、推薦者リスト記憶部内の推薦者リストを、同じコンテンツ利用端末からの次の取得要求の受信時、または、報酬情報追加後、既定時間後などに削除してもよい。
【００９４】
続いて、コンテンツ提供サーバ４００について説明する。
【００９５】
通信部４０１は、ネットワーク５００と接続する。
【００９６】
コンテンツ記憶部４０２は、種々のコンテンツを保存する。
【００９７】
コンテンツ提供部４０３は、コンテンツ利用端末３Ａからダウンロード要求を受信すると、ダウンロード要求にて要求されたコンテンツを、コンテンツ記憶部４０２から読み出し、そのコンテンツを、ダウンロード要求の送信元であるコンテンツ利用端末３Ａに送信する。
【００９８】
コンテンツ関連情報記憶部４０４は、コンテンツの関連情報（例えば、コンテンツの名称やアイコン、またはコンテンツの説明のうちの少なくとも１つ）を、コンテンツＩＤ（推進コンテンツＩＤ）と対応づけて記憶する。
【００９９】
次に、動作を説明する。
【０１００】
図６Ａ、６Ｂおよび６Ｃは、コンテンツ推薦システム１の動作を説明するためのシーケンス図である。
【０１０１】
推薦用端末２Ａを使用する推薦者が、登録指示入力を入力部２Ａ２に入力すると（ステップＳ６０１）、入力部２Ａ２は、登録指示入力を制御部２Ａ６に出力する。
【０１０２】
制御部２Ａ６は、登録指示入力を受け付けると、ユーザＩＤ記憶部２Ａ４から推薦者ＩＤを読み出し、かつ、推薦コンテンツＩＤ記憶部２Ａ５から推薦コンテンツＩＤを読み出す。
【０１０３】
続いて、制御部２Ａ６は、ユーザＩＤ記憶部２Ａ４から読み出された推薦者ＩＤと、推薦コンテンツＩＤ記憶部２Ａ５から読み出された推薦コンテンツＩＤと、を表す登録要求を生成し、その登録要求を、通信部２Ａ１を介してコンテンツ推薦サーバ１００に送信する（ステップＳ６０２）。
【０１０４】
コンテンツ推薦サーバ１００では、レコメンド情報取得部１０４は、登録要求を、通信部１０１を介して受信すると、その登録要求に表された推薦コンテンツＩＤを、その登録要求に表された推薦者ＩＤと関連づけて、レコメンド情報記憶部１０５に登録する（ステップＳ６０３）。
【０１０５】
レコメンド情報取得部１０４は、推薦コンテンツＩＤの登録が完了すると、登録要求が完了した旨の通知（登録要求完了通知）を、登録要求の送信元である推薦用端末２Ａに、通信部１０１を介して送信し（ステップＳ６０４）、推薦コンテンツＩＤに関する登録処理を終了する。
【０１０６】
また、推薦用端末２Ａでは、位置検出部２Ａ７は、定期的に、推薦用端末２Ａの現在位置を検出する（ステップＳ６０５）。位置検出部２Ａ７は、推薦用端末２Ａの現在位置を検出するごとに、その検出結果である位置情報を位置情報送信部２Ａ８に出力する。
【０１０７】
位置情報送信部２Ａ８は、位置検出部２Ａ７から位置情報を受け付けるごとに、ユーザＩＤ記憶部２Ａ４から推薦者ＩＤを読み出す。
【０１０８】
続いて、位置情報送信部２Ａ８は、ユーザＩＤ記憶部２Ａ４から読み出された推薦者ＩＤと、位置検出部２Ａ７から位置情報と、を表す位置情報通知を生成し、その位置情報通知を、通信部２Ａ１を介してコンテンツ推薦サーバ１００に送信する（ステップＳ６０６）。
【０１０９】
コンテンツ推薦サーバ１００では、位置情報取得部１０２は、位置情報通知を、通信部１０１を介して受信すると、その位置情報通知にて表された推薦者ＩＤが位置情報記憶１０３に既に記憶されているかを判断する。
【０１１０】
位置情報取得部１０２は、その推薦者ＩＤが位置情報記憶１０３に記憶されていない場合には、位置情報通知に表された推薦者ＩＤおよび位置情報を互いに関連づけて位置情報記憶部１０３に登録し、その推薦者ＩＤが既に位置情報記憶１０３に記憶されている場合には、その推薦者ＩＤと関連づけて位置情報記憶部１０３内に記憶されている位置情報を、その位置情報通知が表す位置情報に更新する（ステップＳ６０７）。
【０１１１】
その後、コンテンツ利用端末３Ａを使用するコンテンツ利用者が、ある勉強会が行われている会議場で、その勉強会の参加者（つまり、その勉強会に興味があるという属性を有する者）が推薦している推薦コンテンツＩＤを取得するために、取得指示入力を入力部３Ａ５に入力すると（ステップＳ６０８）、入力部３Ａ５は、取得指示入力を制御部３Ａ６に出力する。
【０１１２】
制御部３Ａ６は、取得指示入力を受け付けると、位置検出部３Ａ２の検出結果である基準情報を位置検出部３Ａ２から取得する（ステップＳ６０９）。
【０１１３】
制御部３Ａ６は、基準情報を取得すると、基準情報に示された位置を基準にして特定される検索エリアを表す領域情報と基準情報とを表す取得要求を生成し、その取得要求を、通信部３Ａ１を介してコンテンツ推薦サーバ１００に送信する（ステップＳ６１０）。この場合、取得要求にて表される検索エリアは、勉強会が行われている会議場が属するエリアとなる。
【０１１４】
コンテンツ推薦サーバ１００では、制御部１０７は、通信部１０１を介して取得要求を受信すると、位置情報記憶部１０３内の位置情報のうち、取得要求が表す検索エリア内の位置を表す該当位置情報を特定し、該当位置情報に関連づけられた該当推薦者ＩＤを特定する（ステップＳ６１１）。
【０１１５】
なお、該当推薦者ＩＤは、推薦用端末２Ａと１対１で対応するので、該当推薦者ＩＤを特定することは、取得要求が表す検索エリア内に存在する推薦用端末２Ａつまり該当端末を特定することを意味する。
【０１１６】
続いて、制御部１０７は、該当推薦者ＩＤを表したリストである推薦者リストを生成する。続いて、制御部１０７は、推薦者リストを推薦者リスト記憶部に一時記憶し、一時記憶した推薦者リストを特定する識別子である推薦者リスト識別子を生成する。制御部１０７は、生成された推薦者リストを推薦者リスト識別情報とする（ステップＳ６１２）。なお、制御部１０７は、推薦者リスト識別子を推薦者リスト識別情報としてもよい。
【０１１７】
続いて、制御部１０７は、レコメンド情報記憶部１０５から、該当推薦者ＩＤと関連づけられている推薦コンテンツＩＤ（以下「該当推薦コンテンツＩＤ」と称する）を読み出す。続いて、制御部１０７は、該当推薦コンテンツＩＤについて所定の統計処理を行い、所定の統計処理の結果に基づいて該当推薦コンテンツＩＤに優先度を付与する（ステップＳ６１３）。
【０１１８】
本実施形態では、制御部１０７は、所定の統計処理として、レコメンド情報記憶部１０５を参照して該当推薦コンテンツＩＤごとに該当推薦コンテンツＩＤを提供（登録）した推薦者の数をカウントする統計処理を行う。そして、制御部１０７は、推薦者の数が多い該当推薦コンテンツＩＤほど高い優先度を付与する。
【０１１９】
例えば、該当推薦コンテンツＩＤとして、該当推薦コンテンツＩＤ「△×○○」と該当推薦コンテンツＩＤ「○△△△△」が特定され、該当推薦コンテンツＩＤ「△×○○」を登録した推薦者の数が５人であり、該当推薦コンテンツＩＤ「○△△△△」を登録した推薦者の数が１であった場合には、制御部１０７は、該当推薦コンテンツＩＤ「△×○○」に最も高い優先度を付与し、該当推薦コンテンツＩＤ「○△△△△」に２番目に高い優先度を付与する。
【０１２０】
続いて、制御部１０７は、推薦者リスト識別情報と、優先度が付与された該当推薦コンテンツＩＤと、を表す推薦コンテンツ情報を生成し、推薦コンテンツ情報を、取得要求の送信元であるコンテンツ利用端末３Ａに、通信部１０１を介して送信する（ステップＳ６１４）。
【０１２１】
コンテンツ利用端末３Ａでは、制御部３Ａ６は、通信部３Ａ１を介して推薦コンテンツ情報を受信すると、推薦コンテンツ情報が表す該当推薦コンテンツＩＤを、コンテンツ提供サーバ４００に、通信部３Ａ１を介して送信する（ステップＳ６１５）。
【０１２２】
コンテンツ提供サーバ４００では、コンテンツ提供部４０４は、通信部４０１を介して該当推薦コンテンツＩＤを受信すると、コンテンツ関連情報記憶部４０４を参照し、受信した該当推薦コンテンツＩＤに対応するコンテンツの関連情報を検索する（ステップＳ６１６）。
【０１２３】
続いて、コンテンツ提供部４０３は、検索されたコンテンツの関連情報を、該当推薦コンテンツＩＤの送信元であるコンテンツ利用端末３Ａに、通信部４０１を介して送信する（ステップＳ６１７）。
【０１２４】
コンテンツ利用端末３Ａでは、制御部３Ａ６は、通信部３Ａ１を介してコンテンツの関連情報を受信すると、コンテンツの関連情報（のリスト）を、そのコンテンツの関連情報に対応する該当推薦コンテンツＩＤに付された優先度が高い順に表示部３Ａ３に表示する（ステップＳ６１８）。
【０１２５】
続いて、コンテンツ利用端末３Ａを使用するコンテンツ利用者が、表示部３Ａ３に表示されたコンテンツの関連情報のうちダウンロードを希望するコンテンツの関連情報に対応する該当推薦コンテンツＩＤについてのダウンロード指示入力を、入力部３Ａ５に入力すると（ステップＳ６１９）、入力部３Ａ５は、そのダウンロード指示入力を制御部３Ａ６に出力する。
【０１２６】
制御部３Ａ６は、そのダウンロード指示入力を受け付けると、取得が指示された該当推薦コンテンツＩＤと、推薦コンテンツ情報が表す推薦者リスト識別情報と、を表すダウンロード要求を生成し、そのダウンロード要求を、コンテンツ提供サーバ４００に通信部３Ａ１を介して送信する（ステップＳ６２０）。
【０１２７】
コンテンツ提供サーバ４００では、コンテンツ提供部４０３は、通信部４０１を介してダウンロード要求を受信すると、ダウンロード要求を保持し、そして、ダウンロード要求にて要求されたコンテンツをコンテンツ記憶部４０２から読み出し、そのコンテンツを、ダウンロード要求の送信元であるコンテンツ利用端末３Ａに送信する（ステップＳ６２１）。
【０１２８】
コンテンツ利用端末３Ａでは、制御部３Ａ６は、通信部３Ａ１を介してコンテンツを受信すると、そのコンテンツをコンテンツ記憶部３Ａ４に保存し、ダウンロード完了通知を、通信部３Ａ１を介してコンテンツ提供サーバ４００に送信する（ステップＳ６２２）。
【０１２９】
コンテンツ提供サーバ４００では、コンテンツ提供部４０３は、通信部４０１を介してダウンロード完了通知を受信すると、保持していたダウンロード要求を、通信部４０１を介してコンテンツ推薦サーバ１００に送信する（ステップＳ６２３）。なお、ダウンロード要求は、取得が指示された該当推薦コンテンツＩＤと、推薦者リスト識別情報と、を表す。
【０１３０】
コンテンツ推薦サーバ１００では、制御部１０７は、通信部１０１を介してダウンロード要求を受信すると、ダウンロード要求内の推薦者リスト識別情報を用いて、一時記憶した推薦者リストを特定し、その推薦者リストが表す推薦者ＩＤの中から、レコメンド情報記憶部１０５を参照して、ダウンロード要求内の該当推薦コンテンツＩＤと関連づけられている推薦者ＩＤ（以下「報酬対象推薦者ＩＤ」と称する）を特定する。続いて、制御部１０７は、報酬情報記憶部１０６内の推薦者ＩＤの中から報酬対象推薦者ＩＤを検索する（ステップＳ６２４）。
【０１３１】
続いて、制御部１０７は、報酬情報記憶部１０６内の報酬対象推薦者ＩＤに関連づけて所定の報酬情報を追加する（ステップＳ６２５）。
【０１３２】
本実施形態では、制御部１０７は、所定の報酬情報として既定のサービスポイントを用いる。また、制御部１０７は、報酬対象推薦者ＩＤが複数存在する場合には、既定のポイントを報酬対象推薦者ＩＤの数で割って分配用ポイントを生成し、その分配用ポイントを報酬情報記憶部１０６内の複数の報酬対象推薦者ＩＤに関連づけて追加（登録）する。
【０１３３】
続いて、制御部１０７は、報酬対象推薦者ＩＤにて識別される推薦用端末２Ａに、報酬を加算した旨の報酬加算情報を、通信部１０１を介して送信する（ステップＳ６２６）。
【０１３４】
次に、本実施形態の効果を説明する。
【０１３５】
本実施形態によれば、位置情報取得部１０２は、推薦用端末２Ａの位置を表す位置情報を取得する。位置情報記憶部１０３は、位置情報取得部１０２にて取得された位置情報を記憶する。レコメンド情報記憶部１０５は、推薦者の推薦コンテンツＩＤ（レコメンド情報）を格納する。
【０１３６】
制御部１０７は、コンテンツ利用端末３Ａから検索エリアを特定するための取得要求を受信すると、位置情報記憶部１０３を参照して、検索エリア内に存在する推薦用端末２Ａである該当端末を特定する。そして、制御部１０７は、レコメンド情報記憶部１０５を参照して、該当端末を使用する推薦者のレコメンド情報である該当レコメンド情報を特定する。そして、制御部１０７は、該当レコメンド情報を、取得情報の送信元のコンテンツ利用端末３Ａに送信する。
【０１３７】
このため、検索エリアとして、似た属性の人が集まる場所が指定されると、その場所に実際に来ている似た属性の人が推薦した推薦コンテンツＩＤを入手することが可能になる。よって、コンテンツ利用者が入手した推薦コンテンツＩＤを提供した人の属性についての信頼性を高くすることが可能になり、これにより、推薦者からの推薦コンテンツＩＤ（レコメンド情報）に対する信頼性の低下を防止することが可能になる。
【０１３８】
なお、上記効果は、位置情報取得部１０２と位置情報記憶部１０３とレコメンド情報記憶部１０５と制御部１０７とからなるコンテンツ推薦サーバ１００でも奏する。
【０１３９】
図７は、位置情報取得部１０２と位置情報記憶部１０３とレコメンド情報記憶部１０５と制御部１０７とからなるコンテンツ推薦サーバを示した図である。
【０１４０】
また、本実施形態では、複数の推薦用端末２Ａが存在し、制御部１０７は、該当推薦コンテンツＩＤについて所定の統計処理を行い、所定の統計処理の結果に基づいて該当推薦コンテンツＩＤに優先度を付与し、優先度が付与された該当推薦コンテンツＩＤを、取得情報の送信元のコンテンツ利用端末３Ａに送信する。
【０１４１】
このため、該当推薦コンテンツＩＤについて所定の統計処理に応じた優先度を付与することが可能になる。
【０１４２】
本実施形態では、制御部１０７は、所定の統計処理として、該当推薦コンテンツＩＤごとに、該当推薦コンテンツＩＤを提供した推薦者の数をカウントするカウント統計処理を行う。そして、制御部１０７は、推薦者の数が多い該当推薦コンテンツＩＤほど高い優先度を付与する。
【０１４３】
推薦者の数が多い該当推薦コンテンツＩＤにて識別されるコンテンツは、入手するに値するコンテンツである可能性が高い。このため、入手するに値するコンテンツに対して高い優先度を付与することが可能になる。
【０１４４】
なお、取得要求は、取得要求の送信元であるコンテンツ利用端末３Ａの位置も表しているため、制御部１０７は、所定の統計処理として以下のような処理を行ってもよい。
【０１４５】
制御部１０７は、位置情報記憶部１０３を参照して、該当推薦コンテンツＩＤごとに、位置情報記憶部１０３内の該当推薦コンテンツＩＤを提供した推薦者の該当端末（推薦用端末２Ａ）の位置と、検索エリア情報に表されたコンテンツ利用端末３Ａの位置と、の距離を算出する距離統計処理を行う。そして、制御部３Ａ６は、所定の統計処理として距離統計処理を用いた場合、例えば、算出された距離が短い該当推薦コンテンツＩＤほど高い優先度を付与する。
【０１４６】
この場合、コンテンツ利用端末３Ａに近い該当端末（推薦用端末２Ａ）を使用する推薦者が提供した該当推薦コンテンツＩＤほど高い優先順位が付与される。なお、この場合、コンテンツ利用端末３Ａとして、携帯電話等の携帯端末が用いられることが望ましい。
【０１４７】
なお、本実施形態において、ステップＳ６１４で、コンテンツ推薦サーバ１００から、推薦コンテンツ情報をコンテンツ利用端末３Ａに送信する際に、一旦、コンテンツ提供サーバ４００を経由して、該当推薦コンテンスＩＤを対応するコンテンツの関連情報に変換してから、コンテンツ利用端末３Ａに送信してもよい。
【０１４８】
また、本実施形態において、推薦者リスト識別情報として、推薦者リスト識別子が用いられた場合には、推薦者ＩＤそのものがコンテンツ利用端末３Ａに送信されないので、推薦者の個人情報（推薦者ＩＤ）を保護することができる。
【０１４９】
また、推薦者リスト識別情報として、コンテンツＩＤごとに推薦者ＩＤが対応づけられた推薦者リストが用いられてもよい。この場合、コンテンツ利用者端末３Ａは、推薦者リストに表された推薦者ＩＤを用いてコンテンツごとに推薦者ＩＤを表示することが可能になる。さらにこの場合、推薦者リストに表される推薦者ＩＤが、推薦者の名前に変換されてもよい。
【０１５０】
なお、図２に示したコンテンツ推薦サーバ１００は、コンピュータにて実現されてもよい。この場合、コンピュータは、コンピュータにて読み取り可能なＣＤ−ＲＯＭ（Compact Disk Read Only Memory）のような記録媒体に記録されたプログラムを読込み実行することによって、通信部１０１、位置情報取得部１０２、位置情報記憶部１０３、レコメンド情報取得部１０４、レコメンド情報記憶部１０５、報酬情報記憶部１０６および制御部１０７として機能する。なお、記録媒体は、ＣＤ−ＲＯＭに限らず適宜変更可能である。
【０１５１】
（第２実施形態）
次に、本発明の第２実施形態を説明する。
【０１５２】
図８は、本発明の第２実施形態のコンテンツ推薦サーバ１００Ａを有するコンテンツ推薦システム１Ａを示したブロック図である。
【０１５３】
図８において、図２に示したものと同一構成のものには同一符号を付してある。以下、図８に示したコンテンツ推薦システム１Ａについて、図２に示したコンテンツ推薦システム１と異なる点を中心に説明する。
【０１５４】
コンテンツ推薦システム１Ａは、コンテンツ利用端末３Ａの代わりにコンテンツ利用端末３ＡＡが用いられ、コンテンツ推薦サーバ１００の代わりにコンテンツ推薦サーバ１００Ａが用いられる点においてコンテンツ推薦システム１と異なる。
【０１５５】
コンテンツ利用端末３ＡＡは、コンテンツ利用端末３Ａの構成要素に加えて、向き検出部３ＡＡ１を含み、制御部３Ａ６の代わりに制御部３Ａ６Ａを有する。
【０１５６】
向き検出部３ＡＡ１は、磁気センサを有し、コンテンツ利用端末３ＡＡの向きを検出する。
【０１５７】
制御部３Ａ６Ａは、取得指示入力を受け付けると、位置検出部３Ａ２の検出結果である基準情報を位置検出部３Ａ２から取得し、向き検出部３ＡＡ１の検出結果である向き情報を向き検出部３ＡＡ１から取得する。なお、基準情報は、検索エリア内の基準位置を表す基準位置情報の一例である。
【０１５８】
制御部３Ａ６Ａは、基準情報と向き情報とを取得すると、基準情報に示された位置を基準にして特定される検索エリアを表す領域情報と基準情報と向き情報とを表す取得要求を生成し、その取得要求を、通信部３Ａ１を介してコンテンツ推薦サーバ１００Ａに送信する。
【０１５９】
なお、制御部３Ａ６Ａの動作のうち、取得指示入力を受け付けたときの動作以外は、制御部３Ａ６の動作と同様である。
【０１６０】
コンテンツ推薦サーバ１００Ａは、レコメンド情報提供装置の一例であり、制御部１０７の代わりに制御部１０７Ａを有する点においてコンテンツ推薦サーバ１００と異なる。
【０１６１】
制御部１０７Ａは、制御手段の一例である。
【０１６２】
制御部１０７Ａは、領域情報と基準情報と向き情報とを表す取得要求を受信すると、位置情報記憶部１０３を参照して、検索エリア内で基準位置からのコンテンツ利用端末３ＡＡの向きに存在する推薦用端末２Ａを該当端末として特定する。
【０１６３】
図９は、制御部１０７Ａが該当端末を特定する一例を説明するための図である。
【０１６４】
図９において、検索エリア９１は、基準位置９２を中心とし半径９３にて特定される円領域である。
【０１６５】
制御部１０７Ａは、検索エリア９１のうち、基準位置９２において向き情報が表すコンテンツ利用端末３ＡＡの向き９４にて規定される該当エリア９５（図９において斜線で示した領域）を特定し、位置情報記憶部１０３を参照して、該当エリア９５内に存在する推薦用端末２Ａを、該当端末として特定する。
【０１６６】
なお、制御部１０７Ａの動作のうち、領域情報と基準情報と向き情報とを表す取得要求を受信してから該当端末を特定するまでの動作以外は、制御部１０７の動作と同様である。例えば、制御部１０７Ａは、所定の統計処理として、カウント統計処理または距離統計処理を行う。
【０１６７】
本実施形態によれば、制御部１０７Ａは、コンテンツ利用者端末３ＡＡから領域情報と基準情報と向き情報とを表す取得要求を受信すると、位置情報記憶部１０３を参照して、検索エリア内で基準位置からのコンテンツ利用端末３ＡＡの向きに存在する推薦用端末２Ａを該当端末として特定する。
【０１６８】
このため、コンテンツ利用者端末３ＡＡの向きを変えることで、該当端末が切り替わり、これにより、該当推薦コンテンツＩＤも変化し、該当推薦コンテンツＩＤに付与される優先度も変化する。よって、コンテンツ利用者端末３ＡＡの向きを変えることで、該当端末を検索する範囲を容易に変更することが可能となる。
【０１６９】
なお、図８に示したコンテンツ推薦サーバ１００Ａは、コンピュータにて実現されてもよい。この場合、コンピュータは、コンピュータにて読み取り可能な記録媒体に記録されたプログラムを読込み実行することによって、通信部１０１、位置情報取得部１０２、位置情報記憶部１０３、レコメンド情報取得部１０４、レコメンド情報記憶部１０５、報酬情報記憶部１０６および制御部１０７Ａとして機能する。
【０１７０】
（第３実施形態）
次に、本発明の第３実施形態を説明する。
【０１７１】
図１０は、本発明の第３実施形態のコンテンツ推薦サーバ１００Ｂを有するコンテンツ推薦システム１Ｂを示したブロック図である。
【０１７２】
図１０において、図２に示したものと同一構成のものには同一符号を付してある。以下、図１０に示したコンテンツ推薦システム１Ｂについて、図２に示したコンテンツ推薦システム１と異なる点を中心に説明する。
【０１７３】
コンテンツ推薦システム１Ｂは、コンテンツ推薦サーバ１００の代わりにコンテンツ推薦サーバ１００Ｂが用いられ、推薦用端末２Ａの代わりに推薦用端末２ＡＢが用いられる点においてコンテンツ推薦システム１と異なる。
【０１７４】
コンテンツ推薦サーバ１００Ｂは、レコメンド情報提供装置の一例であり、制御部１０７の代わりに制御部１０７Ｂを有し、位置情報取得部１０２および位置情報記憶部１０３が省略されている点、および、取得要求の送信先となる推薦用端末を表した推薦用端末情報を予め記憶した推薦用端末情報記憶部（不図示）を有する点においてコンテンツ推薦サーバ１００と異なる。
【０１７５】
制御部１０７Ｂは、制御手段の一例である。
【０１７６】
制御部１０７Ｂは、コンテンツ利用端末３Ａから取得要求を受信すると、その取得要求を、推薦用端末情報記憶部内の推薦用端末情報に送信先として表されている各推薦用端末２ＡＢに送信する。そして、制御部１０７Ｂは、検索エリア内に存在する推薦用端末２ＡＢである該当端末から応答を受信すると、レコメンド情報記憶部１０５を参照して、該当端末を使用する推薦者の推薦コンテンツＩＤである該当推薦コンテンツＩＤ（該当レコメンド情報）を特定する。
【０１７７】
本実施形態では、制御部１０７Ｂは、取得要求を送信してから、既定時間以内に応答を返してきた推薦用端末を、レコメンド情報記憶部１０５の参照対象とする。なお、既定時間は適宜設定可能である
また、制御部１０７Ｂは、該当端末を特定するための該当推薦者ＩＤを表した推薦者リストを生成し、推薦者リストを推薦者リスト記憶部に一時記憶し、一時記憶した推薦者リストごとに推薦者リスト識別子を付与する。そして、制御部１０７Ｂは、推薦者リスト識別子もしくは推薦者リストを推薦者リスト識別情報とする。本実施形態では、制御部１０７Ｂは、推薦者リスト識別子を、推薦者リスト識別情報として用いる。
【０１７８】
そして、制御部１０７Ｂは、推薦者リスト識別情報を、該当推薦コンテンツＩＤを表す推薦コンテンツ情報と共に、取得要求の送信元であるコンテンツ利用端末３Ａに送信する。
【０１７９】
なお、制御部１０７Ｂは、制御部１０７と同様に、該当推薦コンテンツＩＤについて所定の統計処理を行い、所定の統計処理の結果に基づいて該当推薦コンテンツＩＤに優先度を付与し、優先度が付与された該当推薦コンテンツＩＤを表す推薦コンテンツ情報を、推薦者リスト識別情報と共に、取得要求の送信元であるコンテンツ利用端末３Ａに送信してもよい。
【０１８０】
また、制御部１０７Ｂは、制御部１０７と同様にステップＳ６２４〜Ｓ６２６を実行する。
【０１８１】
推薦用端末２ＡＢは、制御部２Ａ６の代わりに制御部２Ａ６Ｂが用いられ、位置情報送信部２Ａ８が省略されている点において推薦用端末２Ａと異なる。なお、推薦用端末２ＡＢにおいて、位置検出部２Ａ７は位置取得手段の一例である。
【０１８２】
制御部２Ａ６Ｂは、応答手段の一例である。
【０１８３】
制御部２Ａ６Ｂは、制御部２Ａ６が有する機能に加えて、以下の機能を有する。
【０１８４】
制御部２Ａ６Ｂは、コンテンツ推薦サーバ１００Ｂから取得要求を受信すると、位置検出部２Ａ７の検出結果が表す自端末（推薦用端末２ＡＢ）の位置が、取得要求にて特定される検索エリア内である場合に、応答をコンテンツ推薦サーバ１００Ｂに送信する。
【０１８５】
本実施形態によれば、コンテンツ推薦サーバ１００Ｂ内の制御部１０７Ｂは、コンテンツ利用端末３Ａから取得要求を受信すると、その取得要求を推薦用端末２ＡＢに送信する。
【０１８６】
推薦用端末２ＡＢ内の制御部２Ａ６Ｂは、コンテンツ推薦サーバ１００Ｂから取得要求を受信すると、位置検出部２Ａ７の検出結果が表す自端末の位置が、取得要求にて特定される検索エリア内である場合に、応答をコンテンツ推薦サーバ１００Ｂに送信する。
【０１８７】
コンテンツ推薦サーバ１００Ｂ内の制御部１０７Ｂは、検索エリア内に存在する推薦用端末２ＡＢである該当端末から応答を受信すると、レコメンド情報記憶部１０５を参照して、該当端末を使用する推薦者の推薦コンテンツＩＤである該当推薦コンテンツＩＤ（該当レコメンド情報）を特定する。そして、制御部１０７Ｂは、該当推薦コンテンツＩＤを表す推薦コンテンツ情報を、取得要求の送信元であるコンテンツ利用端末３Ａに送信する。
【０１８８】
このため、本実施形態では、推薦用端末２ＡＢの位置を表す位置情報が、定期的に、コンテンツ推薦サーバ１００Ｂに収集されなくなる。なお、推薦用端末２ＡＢの位置を表す位置情報は、推薦用端末２ＡＢを使用する推薦者の行動パタンを表す個人情報でもある。このため、本実施形態によれば、推薦用端末２ＡＢを使用する推薦者の個人情報を保護することが可能になる。
【０１８９】
また、本実施形態では、制御部１０７Ｂは、推薦者リスト識別子を推薦者リスト識別情報として用いているので、推薦者ＩＤをコンテンツ利用端末に提供することなく、報酬対象の推薦者ＩＤを特定することが可能になる。
【０１９０】
なお、図１０に示したコンテンツ推薦サーバ１００Ｂは、コンピュータにて実現されてもよい。この場合、コンピュータは、コンピュータにて読み取り可能な記録媒体に記録されたプログラムを読込み実行することによって、通信部１０１、レコメンド情報取得部１０４、レコメンド情報記憶部１０５、報酬情報記憶部１０６および制御部１０７Ｂとして機能する。
【０１９１】
また、図１０に示した推薦用端末２ＡＢは、コンピュータにて実現されてもよい。この場合、コンピュータは、コンピュータにて読み取り可能な記録媒体に記録されたプログラムを読込み実行することによって、通信部２Ａ１、入力部２Ａ２、表示部２Ａ３、ユーザＩＤ記憶部２Ａ４、推薦コンテンツＩＤ記憶部２Ａ５、制御部２Ａ６Ｂおよび位置検出部２Ａ７として機能する。
【０１９２】
（第４実施形態）
次に、本発明の第４実施形態を説明する。
【０１９３】
図１１は、本発明の第４実施形態のコンテンツ推薦サーバ１００Ｃを有するコンテンツ推薦システム１Ｃを示したブロック図である。
【０１９４】
図１１において、図８、図１０に示したものと同一構成のものには同一符号を付してある。以下、図１１に示したコンテンツ推薦システム１Ｃについて、図１０に示したコンテンツ推薦システム１Ｂと異なる点を中心に説明する。
【０１９５】
コンテンツ推薦システム１Ｃは、コンテンツ利用者端末３Ａの代わりにコンテンツ利用者端末３ＡＡ（図８参照）が用いられ、コンテンツ推薦サーバ１００Ｂの代わりにコンテンツ推薦サーバ１００Ｃが用いられ、推薦用端末２ＡＢの代わりに推薦用端末２ＡＣが用いられる点において、コンテンツ推薦システム１Ｂと異なる。
【０１９６】
コンテンツ推薦サーバ１００Ｃは、レコメンド情報提供装置の一例であり、制御部１０７Ｂの代わりに制御部１０７Ｃを有する点においてコンテンツ推薦サーバ１００Ｂと異なる。
【０１９７】
制御部１０７Ｃは、制御手段の一例である。
【０１９８】
制御部１０７Ｃは、コンテンツ利用者端末３ＡＡから、領域情報と基準情報と向き情報とを表す取得要求を受信すると、その取得要求を、推薦用端末情報記憶部内の推薦用端末情報に送信先として表されている各推薦用端末２ＡＣに送信する。
【０１９９】
そして、制御部１０７Ｃは、取得要求にて特定される検索エリア内で基準位置からのコンテンツ利用者端末３ＡＡの向きに存在する推薦用端末２ＡＣから応答を受信すると、応答を送信した推薦用端末２ＡＣを該当端末として特定する。
【０２００】
そして、制御部１０７Ｃは、レコメンド情報記憶部１０５を参照して、該当端末を使用する推薦者の推薦コンテンツＩＤである該当推薦コンテンツＩＤ（該当レコメンド情報）を特定する。
【０２０１】
本実施形態では、制御部１０７Ｃは、取得要求を送信してから、既定時間以内に応答を受信した推薦用端末を、レコメンド情報記憶部の参照対象つまり該当端末として特定する。なお、既定時間は適宜設定可能である。
【０２０２】
そして、制御部１０７Ｃは、該当端末を特定するための該当推薦者ＩＤを表した推薦者リストを生成し、推薦者リストを推薦者リスト記憶部に一時記憶し、一時記憶した推薦者リストごとに推薦者リスト識別子を付与する。そして、制御部１０７Ｃは、推薦者リスト識別子もしくは推薦者リストを推薦者リスト識別情報とする。本実施形態では、制御部１０７Ｃは、推薦者リスト識別子を、推薦者リスト識別情報として用いる。
【０２０３】
そして、制御部１０７Ｃは、推薦者リスト識別情報を、該当推薦コンテンツＩＤを表す推薦コンテンツ情報と共に、取得要求の送信元であるコンテンツ利用端末３ＡＡに送信する。
【０２０４】
なお、制御部１０７Ｃは、制御部１０７と同様に、該当推薦コンテンツＩＤについて所定の統計処理を行い、所定の統計処理の結果に基づいて該当推薦コンテンツＩＤに優先度を付与し、優先度が付与された該当推薦コンテンツＩＤを表す推薦コンテンツ情報を、推薦者リスト識別情報と共に、取得要求の送信元であるコンテンツ利用端末３ＡＡに送信してもよい。
【０２０５】
また、制御部１０７Ｃは、制御部１０７と同様にステップＳ６２４〜Ｓ６２６を実行する。
【０２０６】
推薦用端末２ＡＣは、制御部２Ａ６Ｂの代わりに制御部２Ａ６Ｃが用いられている点において推薦用端末２ＡＢと異なる。なお、推薦用端末２ＡＣにおいて、位置検出部２Ａ７は位置取得手段の一例である。
【０２０７】
制御部２Ａ６Ｃは、応答手段の一例である。
【０２０８】
制御部２Ａ６Ｃは、制御部２Ａ６が有する機能に加えて、以下の機能を有する。
【０２０９】
制御部２Ａ６Ｃは、コンテンツ推薦サーバ１００Ｃから取得要求を受信すると、位置検出部２Ａ７の検出結果が表す自端末（推薦用端末２ＡＢ）の位置が、取得要求にて特定される検索エリア内で基準位置からのコンテンツ利用端末３ＡＡの向きに存在する場合に、応答をコンテンツ推薦サーバ１００Ｃに送信する。
【０２１０】
ここで、図９を用いて、自端末（推薦用端末２ＡＢ）の位置が、取得要求にて特定される検索エリア内で基準位置からのコンテンツ利用端末３ＡＡの向きに存在するか否かの判定例を説明する。
【０２１１】
制御部２Ａ６Ｃは、取得要求に基づいて、検索エリア９１のうち基準位置９２において向き情報が表すコンテンツ利用端末３ＡＡの向き９４にて規定される該当エリア９５（図９において斜線で示した領域）を特定する。
【０２１２】
続いて、制御部２Ａ６Ｃは、自端末（推薦用端末２ＡＢ）の位置が該当エリア９５内であるか否かを判定する。
【０２１３】
本実施形態によれば、コンテンツ推薦サーバ１００Ｃ内の制御部１０７Ｃは、コンテンツ利用端末３ＡＡから取得要求を受信すると、その取得要求を推薦用端末２ＡＣに送信する。
【０２１４】
推薦用端末２ＡＣ内の制御部２Ａ６Ｃは、コンテンツ推薦サーバ１００Ｃから取得要求を受信すると、位置検出部２Ａ７の検出結果が表す自端末の位置が、取得要求にて特定される検索エリア内で基準位置からのコンテンツ利用端末３ＡＡの向きに存在する場合に、応答をコンテンツ推薦サーバ１００Ｃに送信する。
【０２１５】
コンテンツ推薦サーバ１００Ｃ内の制御部１０７Ｃは、応答を受信すると、レコメンド情報記憶部１０５を参照して、応答を送信した該当端末を使用する推薦者の推薦コンテンツＩＤである該当推薦コンテンツＩＤ（該当レコメンド情報）を特定する。そして、制御部１０７Ｃは、該当推薦コンテンツＩＤを表す推薦コンテンツ情報を、取得要求の送信元であるコンテンツ利用端末３ＡＡに送信する。
【０２１６】
このため、推薦用端末２ＡＢを使用する推薦者の個人情報を保護することが可能になり、また、コンテンツ利用者端末３ＡＡの向きを変えることで、該当端末を検索する範囲を容易に変更することが可能となる。
【０２１７】
なお、図１１に示したコンテンツ推薦サーバ１００Ｃは、コンピュータにて実現されてもよい。この場合、コンピュータは、コンピュータにて読み取り可能な記録媒体に記録されたプログラムを読込み実行することによって、通信部１０１、レコメンド情報取得部１０４、レコメンド情報記憶部１０５、報酬情報記憶部１０６および制御部１０７Ｃとして機能する。
【０２１８】
また、図１１に示した推薦用端末２ＡＣは、コンピュータにて実現されてもよい。この場合、コンピュータは、コンピュータにて読み取り可能な記録媒体に記録されたプログラムを読込み実行することによって、通信部２Ａ１、入力部２Ａ２、表示部２Ａ３、ユーザＩＤ記憶部２Ａ４、推薦コンテンツＩＤ記憶部２Ａ５、制御部２Ａ６Ｃおよび位置検出部２Ａ７として機能する。
【０２１９】
なお、上記各実施形態において、コンテンツ利用端末内の制御部３Ａ６または３Ａ６Ａは、推薦コンテンツ情報が表す該当推薦コンテンツＩＤに対応するコンテンツの関連情報（のリスト）を、優先度が高い順に表示部３Ａ３に表示したが、コンテンツの関連情報の大きさ（文字の大きさ、または、アイコンの大きさ）を、優先度が高いほど大きくして表示部３Ａ３に表示してもよい。
【０２２０】
また、上記各実施形態において、推薦コンテンツ情報が表す該当推薦コンテンツＩＤに対応するコンテンツの関連情報（のリスト）を、ＡＲ（Augmented Reality）を利用してコンテンツ利用端末またはコンテンツ利用端末に付属するメガネ型ディスプレイで表示してもよい。なお、ＡＲは公知技術であるため、詳細な説明は割愛する。
【０２２１】
また、上記各実施形態において、コンテンツ推薦サーバ内の制御部１０７、１０７Ａ、１０７Ｂまたは１０７Ｃは、該当推薦コンテンツＩＤについて所定の統計処理を行わず該当推薦コンテンツＩＤに優先度を付与しなくてもよい。
【０２２２】
また、上記各実施形態において、コンテンツ推薦サーバ内のレコメンド情報記憶部１０５は、推薦用端末２Ａから送信された推薦コンテンツＩＤを格納したが、推薦用端末２Ａ以外の端末から送信された、推薦用端末２Ａを使用する推薦者が推薦する推薦コンテンツＩＤを格納してもよい。
【０２２３】
また、上記各実施形態において、推薦コンテンツＩＤ（コンテンツ識別情報）として、コンテンツの名称やアイコンが用いられてもよい。この場合、推薦コンテンツＩＤ（コンテンツ識別情報）が、コンテンツの関連情報を兼ねることになる。よって、コンテンツ利用端末は、該当推薦コンテンツＩＤを表示することで、コンテンツの関連情報を表示することと同様の効果を得ることができ、よって、この場合、図６Ｂに示したステップＳ６１５、Ｓ６１６およびＳ６１７を省略することができる。
【０２２４】
また、上記各実施形態において、検索エリアを例えば半径１ｍ程度の円領域とすれば、コンテンツ利用端末３Ａまたは３ＡＡは、コンテンツ利用者の目の前にいる推薦者が推薦した推薦コンテンツＩＤに対応するコンテンツの関連情報のみを表示することが可能になる。なお、検索エリアの大きさは適宜変更可能である。
【０２２５】
図１２は、推薦者１２ａが推薦した該当推薦コンテンツＩＤに対応するコンテンツの関連情報（のリスト）を、ＡＲを利用して表示する技術を示した図である。
【０２２６】
図１２では、推薦者１２ａが推薦した該当推薦コンテンツＩＤに対応するコンテンツの関連情報（例えば、アイコン）１２ｃおよび１２ｄが、コンテンツ利用者１２ｂが使用するメガネ型ディスプレイに表示されている。
【０２２７】
また、位置情報送信部２Ａ８は、定期的に、位置情報通知を送信するのではなく、推薦用端末２Ａが一定の距離以上移動した場合、または、推薦用端末２Ａが特定の境界（例えば、町境）を超えた場合に、位置情報通知を送信してもよい。
【０２２８】
また、位置情報送信部２Ａ８は、位置検出部２Ａ７の検出結果が示す位置の精細度が粗くなるように、位置検出部２Ａ７の検出結果を加工し、その加工結果を、検索エリアの基準位置を示す情報として用いてもよい。
【０２２９】
例えば、位置情報送信部２Ａ８は、位置検出部２Ａ７の検出結果であるデータの最終桁を落としたり、位置検出部２Ａ７の検出結果を検出結果が属する町名に変更したりする加工を行う。
【０２３０】
また、第２、４実施形態では、該当エリア９５として、コンテンツ利用端末の向きを中心とした９０度の領域が用いられているが（図９参照）、該当エリア９５は、コンテンツ利用端末の向きを中心とした９０度の領域に限らず適宜変更可能であり、例えば、９０度を他の角度（例えば、３０度）としてもよい。
【０２３１】
また、上記各実施形態において、推薦用端末とコンテンツ利用端末とが、１つの端末に内蔵されてもよい。
【０２３２】
また、上記各実施形態において、コンテンツ推薦サーバとコンテンツ提供サーバとが、１つのサーバに内蔵されてもよい。
【０２３３】
以上説明した各実施形態において、図示した構成は単なる一例であって、本発明はその構成に限定されるものではない。
【符号の説明】
【０２３４】
１、１Ａ、１Ｂ、１Ｃ  コンテンツ推薦システム
１００、１００Ａ、１００Ｂ、１００Ｃ  コンテンツ推薦サーバ
１０１  通信部
１０２  位置情報取得部
１０３  位置情報記憶部
１０４  レコメンド情報取得部
１０５  レコメンド情報記憶部
１０６  報酬情報記憶部
１０７、１０７Ａ、１０７Ｂ、１０７Ｃ  制御部
２Ａ、２ＡＢ、２ＡＣ、２０１〜２０ｍ  推薦用端末
２Ａ１  通信部
２Ａ２  入力部
２Ａ３  表示部
２Ａ４  ユーザＩＤ記憶部
２Ａ５  推薦コンテンツＩＤ記憶部
２Ａ６、２Ａ６Ｂ、２Ａ６Ｃ  制御部
２Ａ７  位置検出部
２Ａ８  位置情報送信部
３Ａ、３ＡＡ、３０１〜３０ｎ  コンテンツ利用端末
３Ａ１  通信部
３Ａ２  位置検出部
３Ａ３  表示部
３Ａ４  コンテンツ記憶部
３Ａ５  入力部
３Ａ６、３Ａ６Ａ  制御部
３ＡＡ１  向き検出部
４００  コンテンツ提供サーバ
４０１  通信部
４０２  コンテンツ記憶部
４０３  コンテンツ提供部
４０４  コンテンツ関連情報記憶部
５００  ネットワーク
【図１】
0005562362.tif 000002
【図２】
0005562362.tif 000003
【図３】
0005562362.tif 000004
【図４】
0005562362.tif 000005
【図５】
0005562362.tif 000006
【図６Ａ】
0005562362.tif 000007
【図６Ｂ】
0005562362.tif 000008
【図６Ｃ】
0005562362.tif 000009
【図７】
0005562362.tif 000010
【図８】
0005562362.tif 000011
【図９】
0005562362.tif 000012
【図１０】
0005562362.tif 000013
【図１１】
0005562362.tif 000014
【図１２】
0005562362.tif 000015